(57)【要約】      （修正有）【課題】収容された車両用のカード型キーを容易に取り出すことが可能なキーホルダーを提供する。【解決手段】第１カバー１０と、第１カバーの第１辺部１１から延び、第１カバーに対して折り返して収容空間ＨＲを形成する第２カバー２０と、第１カバーの第２辺部１２から延び、第１カバーに対して折り返して第２カバーとともに収容空間を形成する第３カバー３０と、第３辺部１３の近傍に設けられ、カード型キー２００の一方の端部側を回転可能に保持することにより、カード型キーが第１カバーに重ねられる収容状態と、第１カバーから離隔する離隔状態との間で、折り畳み方向に回転する動作を許容する保持部４０と、を備える。【選択図】図１
0003204155.tif 000002
【実用新案登録請求の範囲】
【請求項１】
車両用のカード型キーを保持するキーホルダーであって、
第１辺部、前記第１辺部に対向する第２辺部、および前記第１辺部と前記第２辺部の間に配置される第３辺部を有する第１カバーと、
前記第１辺部から延びており、前記第１カバーに対して折り返し可能であるとともに、前記第１カバーとの間に前記カード型キーを収容する収容空間を形成する第２カバーと、
前記第２辺部から延びており、前記第１カバーに対して折り返し可能であるとともに、前記第１カバーに対して折り返した状態で、前記第１カバーに対して折り返した状態の前記第２カバーに重ねられ、かつ、前記第１カバーとの間に前記第２カバーとともに前記カード型キーを収容する前記収容空間を形成する第３カバーと、
前記第３辺部の近傍に設けられ、前記カード型キーの一方の端部側を回転可能に保持することにより、前記カード型キーが前記第１カバーに重ねられる収容状態と、前記カード型キーが前記第１カバーから離隔する離隔状態との間で、前記カード型キーが前記第１カバーに対して折り畳み方向に回転する回転動作を許容する保持部と、を備える、
キーホルダー。
【請求項２】
前記カード型キーは、
前記一方の端部の近傍に設けられ、前記一方の端部が延びる方向に対して略平行に延びる貫通孔である取付け孔、を有し、
前記保持部は、
前記第３辺部の近傍に設けられ、前記第３辺部が延びる方向に対して略平行に延びる貫通孔である保持孔と、
断面形状が前記取付け孔および前記保持孔に挿通可能な幅および厚みを有する扁平形状であり、前記取付け孔および前記保持孔に挿通された状態で前記折り畳み方向に回転する回転動作を許容する、保持部材と、を有する、
請求項１に記載のキーホルダー。
【請求項３】
前記第３辺部の近傍に配置され、把持可能なグリップをさらに備える、
請求項１または２に記載のキーホルダー。
【請求項４】
前記保持部材は、
先端に膨出部が形成された突条部が第１端部側に設けられ、前記突条部が嵌入可能である嵌入孔が第２端部側に設けられている、ベルト状部材であり、
前記保持部材を、前記第１カバーの前記保持孔および前記カード型キーの前記取付け孔に挿通させて折り返し、前記嵌入孔に前記突条部を嵌入させることで、前記カード型キーの前記一方の端部を前記第１カバーに回転可能に保持し、
前記嵌入孔および前記突条部によって止着された前記保持部材の前記第１端部側および前記第２端部側が、前記グリップを構成する、
請求項３に記載のキーホルダー。
【請求項５】
前記第１辺部から前記第２辺部に向かう方向を幅方向として、前記幅方向における前記第３カバーの最大長さは、前記幅方向における前記第２カバーの最大長さよりも大きい、
請求項１から４のいずれか１項に記載のキーホルダー。
【請求項６】
前記第３カバーは、前記第２辺部に対向する自由端部である操作端部を有し、
前記操作端部は、
前記第１カバーに対して折り返した状態において、前記第２辺部から前記第１辺部に向かうに従って、前記第３辺部から漸次離隔する形状を有する、
請求項１から５のいずれか１項に記載のキーホルダー。
【請求項７】
前記カード型キーは、
前記収容空間に収容された状態で前記第１カバーに対向する第１操作面を有し、前記第１操作面には、複数の操作ボタンが設けられており、
前記第１カバーは、
前記複数の操作ボタンを露出させる貫通孔である、操作ボタン用孔を有しており、
前記操作ボタン用孔は、前記複数の操作ボタンの間に対応する位置に、突出部が形成されている、
請求項１から６のいずれか１項に記載のキーホルダー。
【請求項８】
前記第１カバーは、少なくとも前記突出部における厚みが０．５ｍｍから５ｍｍである、
請求項７に記載のキーホルダー。
【請求項９】
前記カード型キーは、
車両に対する信号を制御する制御部を有し、
前記第２カバーおよび前記第３カバーは、前記第３カバーを磁力によって前記第２カバーに固定する止着部を有し、
前記止着部は、前記カード型キーを前記収容空間に収容した状態で、前記制御部に対応する位置を避けて配置される、
請求項１から８のいずれか１項に記載のキーホルダー。
【考案の詳細な説明】
【技術分野】
【０００１】
本考案は、車両用のカード型キーを保持するキーホルダーに関する。
【背景技術】
【０００２】
従来、自動車、自動二輪車等の施錠および開錠等を遠隔制御する機能を有するカード型キーが知られている。また、カード型キーを挿入するスロットを備えており、スロットにカード型キーを挿入することでエンジンの始動等が可能となる機能を有する車両も知られている。
【０００３】
従来、このようなカード型キーを保持するためのキーホルダーが提案されている。例えば、実用新案登録第３０９０３６９号公報には、コード孔を有するキーカードを収容する収容部を有し、この収容部に開口部を設けたケースを備え、このケースに、キーカードを開口部より収容部に出し入れ可能に枢着したケース付カードキーが開示されている。
【先行技術文献】
【特許文献】
【０００４】
【特許文献１】実用新案登録第３０９０３６９号公報
【考案の概要】
【考案が解決しようとする課題】
【０００５】
しかしながら、実用新案登録第３０９０３６９号公報に開示されているケース付カードキーでは、使用者がキーカードをケースから出す場合、一方の手でケースを把持し、他方の手でキーカードを回転させる操作を行う必要がある。つまり、片手だけではキーカードをケースから取り出し難い。このため、使用者が片手に荷物等を持っているような場合には、キーカードをケースから取り出す操作が困難になるという問題がある。
【０００６】
本考案の目的は、収容された車両用のカード型キーを容易に取り出すことが可能なキーホルダーを提供することである。
【課題を解決するための手段】
【０００７】
本考案のキーホルダーは、車両用のカード型キーを保持するキーホルダーであって、第１辺部、第１辺部に対向する第２辺部、および第１辺部と第２辺部の間に配置される第３辺部を有する第１カバーと、第１辺部から延びており、第１カバーに対して折り返し可能であるとともに、第１カバーとの間にカード型キーを収容する収容空間を形成する第２カバーと、第２辺部から延びており、第１カバーに対して折り返し可能であるとともに、第１カバーに対して折り返した状態で、第１カバーに対して折り返した状態の第２カバーに重ねられ、かつ、第１カバーとの間に第２カバーとともにカード型キーを収容する収容空間を形成する第３カバーと、第３辺部の近傍に設けられ、カード型キーの一方の端部側を回転可能に保持することにより、カード型キーが第１カバーに重ねられる収容状態と、カード型キーが第１カバーから離隔する離隔状態との間で、カード型キーが第１カバーに対して折り畳み方向に回転する回転動作を許容する保持部と、を備える。
【考案の効果】
【０００８】
本考案のキーホルダーによれば、キーホルダーに収容された車両用のカード型キーを容易に取り出すことが可能である。
【図面の簡単な説明】
【０００９】
【図１】図１は、本考案の実施形態にかかるキーホルダーの正面図である。
【図２】図２は、キーホルダーの背面図である。
【図３】図３は、図１のＡ−Ａ線における断面図である。
【図４】図４は、カード型キーの正面図である。
【図５】図５は、カード型キーの背面図である。
【図６】図６は、ホルダ本体を展開した状態を示す正面図である。
【図７】図７は、保持部材の正面図である。
【図８】図８は、保持部材の右側面図である。
【図９】図９は、保持部材によって、カード型キーをキーホルダーに保持させた状態を示す正面図である。
【図１０】図１０（Ａ）は、図９のＢ−Ｂ線における断面図であり、図１０（Ｂ）および図１０（Ｃ）は、カード型キーを第１カバーに対して回転させた状態を示す断面図である。
【図１１】図１１は、使用者がキーホルダーを片手で操作する状態を示す図である。
【図１２】図１２は、使用者がキーホルダーを片手で操作する状態を示す図である。
【考案を実施するための形態】
【００１０】
本考案の一実施形態にかかるキーホルダーは、車両用のカード型キーを保持するキーホルダーであって、第１辺部、第１辺部に対向する第２辺部、および第１辺部と第２辺部の間に配置される第３辺部を有する第１カバーと、第１辺部から延びており、第１カバーに対して折り返し可能であるとともに、第１カバーとの間にカード型キーを収容する収容空間を形成する第２カバーと、第２辺部から延びており、第１カバーに対して折り返し可能であるとともに、第１カバーに対して折り返した状態で、第１カバーに対して折り返した状態の第２カバーに重ねられ、かつ、第１カバーとの間に第２カバーとともにカード型キーを収容する収容空間を形成する第３カバーと、第３辺部の近傍に設けられ、カード型キーの一方の端部側を回転可能に保持することにより、カード型キーが第１カバーに重ねられる収容状態と、カード型キーが第１カバーから離隔する離隔状態との間で、カード型キーが第１カバーに対して折り畳み方向に回転する回転動作を許容する保持部と、を備える（第１の構成）。
【００１１】
上記構成によれば、キーホルダーに収容された車両用のカード型キーを容易に取り出すことが可能である。
【００１２】
上記第１の構成において、カード型キーは、一方の端部の近傍に設けられ、一方の端部が延びる方向に対して略平行に延びる貫通孔である取付け孔、を有し、保持部は、第３辺部の近傍に設けられ、第３辺部が延びる方向に対して略平行に延びる貫通孔である保持孔と、断面形状が取付け孔および保持孔に挿通可能な幅および厚みを有する扁平形状であり、取付け孔および保持孔に挿通された状態で折り畳み方向に回転する回転動作を許容する、保持部材と、を有してもよい（第２の構成）。
【００１３】
上記構成によれば、保持部材、保持孔、および取付け孔により、第１カバーに対してカード型キーが折り畳み方向に回転する回転動作を許容し、第１カバーに対してカード型キーが折り畳み方向以外に揺動する揺動動作を抑制することができる。このため、カード型キーが第１カバーに対して安定し、カード型キーを車両のスロットに挿入する操作や、カード型キーをキーホルダーに収容する操作が容易になる。
【００１４】
上記第１又は第２のいずれかの構成において、第３辺部に配置され、把持可能なグリップをさらに備えてもよい（第３の構成）。
【００１５】
上記構成によれば、使用者がグリップを把持することにより、キーホルダーを片手で操作することが容易になる。
【００１６】
上記第３の構成において、保持部材は、先端に膨出部が形成された突条部が第１端部側に設けられ、突条部が嵌入可能である嵌入孔が第２端部側に設けられている、ベルト状部材であり、保持部材を、第１カバーの保持孔およびカード型キーの取付け孔に挿通させて折り返し、嵌入孔に突条部を嵌入させることで、カード型キーの一方の端部を第１カバーに回転可能に保持し、嵌入孔および突条部によって止着された保持部材の第１端部側および第２端部側が、グリップを構成するようにしてもよい（第４の構成）。
【００１７】
上記構成によれば、保持部材によってグリップが構成されるため、使用者がグリップを把持することにより、キーホルダーを片手で操作することが容易になる。
【００１８】
上記第１から第４のいずれかの構成において、第１辺部から第２辺部に向かう方向を幅方向として、幅方向における第３カバーの最大長さは、幅方向における第２カバーの最大長さよりも大きくしてもよい（第５の構成）。
【００１９】
上記構成によれば、第３カバーが第２カバーより大きいため、使用者が第３カバーを開く操作を容易に行うことができる。
【００２０】
上記第１から第５のいずれかの構成において、第３カバーは、第２辺部に対向する自由端部である操作端部を有し、操作端部は、第１カバーに対して折り返した状態において、第２辺部から第１辺部に向かうに従って、第３辺部から漸次離隔する形状を有するようにしてもよい（第６の構成）。
【００２１】
上記構成によれば、使用者が操作端部を操作して、第３カバーを開く操作を容易に行うことができる。
【００２２】
上記第１から第６のいずれかの構成において、カード型キーは、収容空間に収容された状態で第１カバーに対向する第１操作面を有し、第１操作面には、複数の操作ボタンが設けられており、第１カバーは、複数の操作ボタンを露出させる貫通孔である、操作ボタン用孔を有しており、操作ボタン用孔は、複数の操作ボタンの間に対応する位置に、突出部が形成されるようにしてもよい（第７の構成）。
【００２３】
上記構成によれば、使用者が手探りで操作ボタンを操作する場合に、突出部により複数の操作ボタンの位置を判別することができるため、複数の操作ボタンを間違えずに操作することが可能になる。
【００２４】
上記第７の構成において、第１カバーは、少なくとも突出部における厚みを０．５ｍｍから５ｍｍとしてもよい（第８の構成）。
【００２５】
上記構成によれば、使用者が手探りで操作ボタンを操作する場合に、突出部の位置が判別しやすくなり、複数の操作ボタンの位置を判別しやすくなる。
【００２６】
上記第１から第８のいずれかの構成において、カード型キーは、車両に対する信号を制御する制御部を有し、第２カバーおよび第３カバーは、第３カバーを磁力によって第２カバーに固定する止着部を有し、止着部は、カード型キーを収容空間に収容した状態で、制御部に対応する位置を避けて配置してもよい（第９の構成）。
【００２７】
上記構成によれば、制御部に対する磁界の影響を抑制することができる。
【００２８】
［実施形態］
以下、図面を参照し、本考案の実施形態に係るキーホルダー１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２９】
［全体構成］
まず、キーホルダー１００の全体構成について説明する。図１は、本考案の実施形態に係るキーホルダー１００の正面図である。図１では、キーホルダー１００に車両用のカード型キー２００を保持させた状態を示している。以下の図では、矢印Ｒはキーホルダー１００の右方向を示し、矢印Ｌは左方向を示す。矢印Ｕは上方向を示し、矢印Ｄは下方向を示す。矢印Ｆは前方向、矢印Ｂは後方向を示す。
【００３０】
図１に示すように、キーホルダー１００は、ホルダ本体９０、保持部４０、およびグリップ５０を有している。
【００３１】
ホルダ本体９０は、キーホルダー１００の基体となる部分である。ホルダ本体９０は、第１カバー１０、第２カバー２０、および第３カバー３０を有している。第１カバー１０、第２カバー２０、および第３カバー３０は、ホルダ本体９０を折り曲げて構成されている。本実施形態のホルダ本体９０は、天然皮革のシート状部材を用いて形成されている。ホルダ本体９０の厚さは約２ｍｍである。
【００３２】
第１カバー１０は、略方形の部材である。第１カバー１０の図示左側に第２カバー２０が一体的に形成されており、第１カバー１０の図示右側に第３カバー３０が一体的に形成されている。第２カバー２０、および第３カバー３０は、図１に示すように、第１カバー１０に対して折り返した状態と、第１カバー１０に対して開いた状態に変形させることが可能である（図９参照）。第２カバー２０を、第１カバー１０に対して折り返し、第３カバー３０を、第２カバー２０に重ねるように折り返すことで、第１カバー１０、第２カバー２０、および第３カバー３０によって収容空間ＨＲが形成されている。収容空間ＨＲにはカード型キー２００が収容されている。
【００３３】
第２カバー２０は第１止着部２６を有しており、第３カバー３０は第２止着部３６を有している。第１止着部２６および第２止着部３６は、磁力によって第３カバー３０を第２カバー２０の上に止着している。第１止着部２６および第２止着部３６の止着力は、使用者が第２カバー２０および第３カバー３０を開く操作を行う際には容易に外れるように設定されている。
【００３４】
保持部４０は、カード型キー２００をホルダ本体９０に保持している。保持部４０は、保持孔４２および保持部材４４を有している。保持孔４２は、第１カバー１０に設けられている貫通孔である。保持部材４４は、ベルト状の部材である。カード型キー２００には取付け孔２３０が設けられており、保持孔４２および取付け孔２３０に保持部材４４を挿通させることで、カード型キー２００はキーホルダー１００に対して保持されている。
【００３５】
グリップ５０は、使用者がキーホルダー１００を手で持つ際に把持する部分である。本実施形態では、保持部４０の保持部材４４がグリップ５０を構成している。使用者は、グリップ５０を把持しながら、手指で第２カバー２０および第３カバー３０を開くことが可能である（図１１、図１２参照）。
【００３６】
図２は、キーホルダー１００の背面図である。本実施形態では、キーホルダー１００に保持されているカード型キー２００は、車両の解錠および施錠を遠隔操作するための第１操作ボタンＢ１および第２操作ボタンＢ２が設けられている。第１カバー１０には、カード型キー２００を収容空間ＨＲに収容した状態で第１操作ボタンＢ１および第２操作ボタンＢ２に対向する位置に、操作ボタン用孔１６が形成されている。使用者は、カード型キー２００をキーホルダー１００に収容した状態のまま、操作ボタン用孔１６を介して第１操作ボタンＢ１および第２操作ボタンＢ２を操作することが可能である。
【００３７】
図３は、図１のＡ−Ａ線における断面図である。図３に示すように、第２カバー２０を、第１カバー１０に対して折り返し、第３カバー３０を、第２カバー２０に重ねるように折り返すことで、第１カバー１０、第２カバー２０、および第３カバー３０によって収容空間ＨＲが形成されている。カード型キー２００は収容空間ＨＲに収容されている。
【００３８】
第２カバー２０に設けられた第１止着部２６、および第３カバー３０に設けられた第２止着部３６によって、第３カバー３０は、第２カバー２０の上に止着されている。
【００３９】
［カード型キー］
ここで、本実施形態で用いられているカード型キー２００の構成について説明する。図４は、カード型キー２００の正面図である。カード型キー２００は、キー本体２１０を有している。キー本体２１０は、第２操作面２１２および第１操作面２１１（図５参照）を有している。また、キー本体２１０は、上部に挿入端部２１４を有し、下部に保持端部２１５を有している。挿入端部２１４は、車両に設けられたスロット（図示省略）にカード型キー２００を挿入する際に、前端となる部分である。カード型キー２００をスロットに挿入することで、例えば、車両をエンジン始動可能な状態にすることができる。
【００４０】
保持端部２１５には、取付け孔２３０が形成されている。取付け孔２３０は、保持端部２１５が延びる方向（図示左右方向）に対して略平行に延びる貫通孔である。保持端部２１５は、本考案において、カード型キー２００の一方の端部に相当する。
【００４１】
キー本体２１０の内部には、電池ＢＴ、および回路基板ＣＢが収容されている。電池ＢＴは、カード型キー２００の電源である。電池ＢＴは、保持端部２１５寄りの位置に配置されている。回路基板ＣＢは、電池ＢＴに対して上方に配置されている。回路基板ＣＢには、スイッチＳＷ１,ＳＷ２、および制御部ＣＲなどが実装されている。スイッチＳＷ１,ＳＷ２は、第１操作面２１１に設けられる第１操作ボタンＢ１および第２操作ボタンＢ２に対する操作を検知する。スイッチＳＷ１,ＳＷ２は、第１操作ボタンＢ１および第２操作ボタンＢ２に対応する回路基板ＣＢ上の位置に実装されている。制御部ＣＲは、車両に対して送信する信号を制御する。制御部ＣＲは、回路基板ＣＢ上のスイッチＳＷ１,ＳＷ２の下方に配置されている。具体的には、スイッチＳＷ１,ＳＷ２および電池ＢＴの間であって、かつ、第２操作面２１２側から見て中心よりも右寄りの位置である。キーホルダー１００に設けられている第１止着部２６および第２止着部３６は、制御部ＣＲに対する磁界の影響を抑制するため、カード型キー２００をキーホルダー１００に保持した状態で、制御部ＣＲに対応する位置を避けて配置されている（図１参照）。
【００４２】
図５は、カード型キー２００の背面図である。第１操作面２１１には、第１操作ボタンＢ１および第２操作ボタンＢ２が設けられている。第１操作ボタンＢ１に対する操作は、スイッチＳＷ１によって検知され、第２操作ボタンＢ２に対する操作は、スイッチＳＷ２によって検知される。第１操作ボタンＢ１および第２操作ボタンＢ２に対して操作を行うことにより、遠隔操作で車両の解錠および施錠を行うことができる。
【００４３】
［ホルダ本体］
図６は、ホルダ本体９０を展開した状態を示す正面図である。ホルダ本体９０は、第１カバー１０、第２カバー２０、および第３カバー３０を有している。ホルダ本体９０の素材としては、本実施形態で用いている天然皮革の他、合成皮革、合成樹脂素材等の柔軟性を有する様々な素材のシート状部材を用いることができる。ホルダ本体９０の厚さは本実施形態の２ｍｍに限定されない。ホルダ本体９０の厚さは、例えば０．５ｍｍから５ｍｍとすることができ、２ｍｍから４ｍｍ程度が好ましい。また、本実施形態では、第１カバー１０、第２カバー２０および第３カバー３０は一体に形成されているが、第１カバー１０、第２カバー２０および第３カバー３０を別部材で形成して接続してもよい。
【００４４】
第１カバー１０は、本実施形態では略方形であり、第１辺部１１、第２辺部１２、および第３辺部１３を有している。第２辺部１２は、第１辺部１１に対向する位置に配置されている。第３辺部１３は、第１辺部１１と第２辺部１２の間に配置されている。なお、第１辺部１１および第２辺部１２は、第１カバー１０の説明の便宜のために用いる仮想の辺である。第２カバー２０および第３カバー３０は、第１カバー１０に対して一体的に形成されている。
【００４５】
第１カバー１０の第３辺部１３は、左右方向に延びており、下方に突出するように湾曲している。保持孔４２は、第３辺部１３の近傍に設けられている。保持孔４２は貫通孔であり、第３辺部１３が延びる方向（左右方向）に対して略平行に延びる長円形状を有している。
【００４６】
第１カバー１０は、操作ボタン用孔１６を有している。操作ボタン用孔１６は、キーホルダー１００にカード型キー２００を保持した状態で、カード型キー２００の第１操作ボタンＢ１および第２操作ボタンＢ２に対向する位置に形成されている。操作ボタン用孔１６は、貫通孔であり、第１操作ボタンＢ１および第２操作ボタンＢ２を露出させる。操作ボタン用孔１６には、第１操作ボタンＢ１および第２操作ボタンＢ２の間に対応する位置に、突出部１７が形成されている。突出部１７は、使用者が手探りで第１操作ボタンＢ１または第２操作ボタンＢ２を操作する場合に、手指の感触によって第１操作ボタンＢ１と第２操作ボタンＢ２の位置を判別するために形成されている。本実施形態では、第１カバー１０の厚さは約２ｍｍであるため、使用者が手指の感触によって突出部１７の位置を判別しやすく、第１操作ボタンＢ１と第２操作ボタンＢ２を間違えずに操作しやすくなる。なお、突出部１７の形状は使用者が位置を判別できる形状であればよく、また、別部材を突出部１７として設けてもよい。
【００４７】
第２カバー２０は、第１カバー１０の第１辺部１１から一体的に左方に延びている。第２カバー２０は、第１カバー１０に対して折り返し可能である。第２カバー２０を第１カバー１０に対して折り返すことで、第１カバー１０との間にカード型キー２００を収容する収容空間ＨＲを形成する。
【００４８】
第２カバー２０は、第１カバー１０の第１辺部１１に対向する自由端部である第１操作端部２２を有している。第１操作端部２２は、第２カバー２０を第１カバー１０に対して開いた状態では、左下方に突出するように湾曲した形状を有している。このため、第２カバー２０を第１カバー１０に対して折り返した状態では（図１参照）、第１操作端部２２は、第１辺部１１から第２辺部１２に向かうに従って、第３辺部１３から漸次離隔する形状を有している。第１操作端部２２をこのような形状とすることにより、第２カバー２０を第１カバー１０に対して折り返した状態で、保持部４０を露出させることができる。また、使用者がグリップ５０を把持した状態で、手指で第２カバー２０を開くことができる。第２カバー２０の上部には、第１止着部２６が設けられている。
【００４９】
第３カバー３０は、第１カバー１０の第２辺部１２から一体的に右方に延びている。第３カバー３０は、第１カバー１０に対して折り返し可能である。第３カバー３０を第１カバー１０に対して折り返すことで、第１カバー１０に対して折り返した状態の第２カバー２０に重ねられる。第３カバー３０は、第１カバー１０との間に第２カバー２０とともにカード型キー２００を収容する収容空間ＨＲを形成する。
【００５０】
第３カバー３０は、第１カバー１０の第２辺部１２に対向する自由端部である第２操作端部３２を有している。第２操作端部３２は、第３カバー３０を第１カバー１０に対して開いた状態では、右下方に突出するように湾曲した形状を有している。このため、第３カバー３０を第１カバー１０に対して折り返した状態では（図１参照）、第２操作端部３２は、第１カバー１０の第２辺部１２から第１辺部１１に向かうに従って、第１カバー１０の第３辺部１３から漸次離隔する形状を有している。第２操作端部３２をこのような形状とすることにより、第３カバー３０を第１カバー１０に対して折り返した状態で、保持部４０を露出させることができる。また、使用者がグリップ５０を把持した状態で、手指で第３カバー３０を開くことができる（図１２参照）。第２操作端部３２は、本考案の操作端部に相当する。第３カバー３０の上部には、第２止着部３６が設けられている。
【００５１】
なお、本実施形態では、第２カバー２０および第３カバー３０の左右方向（幅方向）の長さは異なっている。左右方向における第３カバー３０の最大長さＬ３は、幅方向における第２カバー２０の最大長さＬ２よりも大きい。このように、保持部４０から見て右方の第３カバー３０を左方の第２カバー２０よりも大きくすることにより、使用者は、グリップ５０を右手で把持した状態で、右手の親指を用いて第３カバー３０を容易に開くことができる（図１２参照）。
【００５２】
［保持部材］
図７は、保持部材４４の正面図であり、図８は、保持部材４４の右側面図である。図７および図８に示すように、保持部材４４は、ベルト状の部材である。本実施形態では、保持部材４４は、天然皮革のシート状部材を用いて形成されている。保持部材４４の厚さは約１ｍｍである。なお、保持部材４４の素材は、ホルダ本体９０の素材と同様に、様々な素材のシート状部材を用いることができる。また、保持部材４４の断面形状は、第１カバー１０の保持孔４２およびカード型キー２００の取付け孔２３０に挿通可能な幅および厚さを有する扁平形状である。
【００５３】
保持部材４４は、第１端部４４１および第２端部４４２を有している。保持部材４４の第１端部４４１側は折り返されており、リング４８が装着されている。リング４８にはストラップ４９が装着されている。第１端部４４１を折り返した部分には、突条部４５が設けられている。突条部４５は、第１端部４４１の折り返し部分を貫通しており、第１端部４４１の折り返し部分を固定している。突条部４５の先端には、図８に示すように膨出部４５１が形成されている。突条部４５の上部には、ループ部４６が装着されている。ループ部４６は、折り返した第２端部４４２を挿通可能な大きさに形成されている。
【００５４】
第２端部４４２は、第１カバー１０の保持孔４２およびカード型キー２００の取付け孔２３０に挿通させる部分である。第２端部４４２には、嵌入孔４７が形成されている。嵌入孔４７は、貫通孔である。嵌入孔４７は、膨出部４５１を通過させて突条部４５を嵌入させることが可能な径を有している。
【００５５】
図９は、保持部材４４によって、カード型キー２００をホルダ本体９０に保持させた状態を示す正面図である。保持部材４４の第２端部４４２は、第１カバー１０の背面から保持孔４２および取付け孔２３０に挿通させて環状に折り返し、ループ部４６を通してから嵌入孔４７に突条部４５を嵌入させている。これにより、保持部材４４の第２端部４４２は、第１端部４４１に対して止着されている。嵌入孔４７および突条部４５によって第１端部４４１および第２端部４４２が止着された保持部材４４、リング４８、およびストラップ４９は、グリップ５０を構成している。
【００５６】
保持部４０は、カード型キー２００の保持端部２１５側を回転可能に保持している。このため、保持部４０は、図９に示すように、カード型キー２００が第１カバー１０に重ねられる収容状態Ｓ１（図１０（Ａ）参照）と、カード型キー２００が第１カバー１０から離隔する離隔状態Ｓ２との間で、カード型キー２００が第１カバー１０に対して折り畳み方向（図１０（Ｂ）（Ｃ）の矢印Ｄ１の方向）に回転する回転動作を許容している。
【００５７】
一方、第１カバー１０の保持孔４２、およびカード型キー２００の取付け孔２３０は、長円形状であり、保持部材４４の断面形状も扁平形状である。このため、保持部４０は、カード型キー２００が折り畳み方向Ｄ１以外の方向（例えば、図９の矢印Ｄ２方向）の揺動動作を抑制している。このため、カード型キー２００が第１カバー１０に対して安定し、カード型キー２００を車両のスロットに挿入する操作や、カード型キー２００をキーホルダー１００に収容する操作が容易になる。
【００５８】
［動作］
図１０の（Ａ）は、図９のＢ−Ｂ線における断面図である。図１０の（Ａ）は、カード型キー２００が第１カバー１０に重ねられる収容状態Ｓ１を示している。上述のように、保持部４０は、カード型キー２００が収容状態Ｓ１と、離隔状態Ｓ２との間で、カード型キー２００が第１カバー１０に対して折り畳み方向Ｄ１に回転する回転動作を許容している。図１０（Ｂ）は、カード型キー２００が第１カバー１０から離隔して離隔状態Ｓ２となり、第１カバー１０に対するカード型キー２００の回転角度がθ１になっている状態を示している。
【００５９】
また、図１０（Ｃ）は、第１カバー１０に対するカード型キー２００の回転角度がθ１より大きいθ２になっている状態を示している。なお、図１０（Ｃ）に示す角度θ２は、１００〜１２０度程度であるが、保持部材４４は柔軟性を有するため、角度θ２がさらに大きくなるまで（例えばθ２＝１８０〜３００度）、カード型キー２００を第１カバー１０に対して回転させることも可能である。例えば、角度θ２が１８０度程度になるまでカード型キー２００を第１カバー１０に対して回転させることにより、カード型キー２００を車両のスロットに挿入する際に、キーホルダー１００が邪魔にならず、カード型キー２００を容易に挿入することができる。
【００６０】
図１１および図１２は、使用者がキーホルダー１００を片手で操作する状態を示す図である。図１１に示すように、使用者は、グリップ５０を把持することにより、キーホルダー１００を保持することができる。図１１では、使用者は、右手ＲＨでグリップ５０を把持している。右手ＲＨの親指ＴＨは、第３カバー３０の第２操作端部３２の近傍に置かれている。
【００６１】
図１２に示すように、右手ＲＨでグリップ５０を把持したまま、親指ＴＨを右方のスライドさせることにより、第３カバー３０の第２操作端部３２を操作して、第３カバー３０を開くことができる。このとき、第３カバー３０を第２カバー２０に止着している第１止着部２６および第２止着部３６は、親指ＴＨの操作位置から離れているため、第１止着部２６および第２止着部３６を小さい操作力で外すことができる。
【００６２】
カード型キー２００を車両のスロットに挿入する場合には、図１２に示したように第３カバー３０を開いた後、カード型キー２００が第１カバー１０に重ねられた収容状態Ｓ１から、カード型キー２００を第１カバー１０から折り畳み方向Ｄ１に回転させてカード型キー２００をキーホルダー１００から取り出し、図１０（Ｃ）に示したように、カード型キー２００が第１カバー１０から離れた離隔状態Ｓ２とする。このように、片手で第３カバー３０を開くことができるため、少ない操作で、カード型キー２００をキーホルダー１００から取り出し、車両のスロットに挿入することができる。
【００６３】
［変形例］
本考案に係るキーホルダーは、上記説明した本実施形態に限定されない。例えば、第１カバー１０、第２カバー２０、および第３カバー３０の形状を他の形状に変形することができる。例えば、第２カバー２０の第１操作端部２２の形状や、第３カバー３０の第２操作端部３２の形状を変形することができる。
【００６４】
本実施形態では、第２カバー２０および第３カバー３０の左右方向（幅方向）の長さは異なるものとしたが、これに限定されない。例えば、第２カバー２０および第３カバー３０の左右方向（幅方向）の最大長さを同じ長さにしてもよい。
【００６５】
本実施形態では、保持部４０がグリップ５０を兼ねる構成としたが、保持部４０とグリップ５０を別々に設けてもよい。また、本実施形態ではリング４８、およびストラップ４９を設けたが、必ずしもこれらを設けなくてもよく、また、別の部材を設けてもよい。
【００６６】
以上、本考案の実施形態を説明したが、上述した実施形態は本考案を実施するための例示に過ぎない。よって、本考案は上述した実施形態に限定されることなく、その趣旨を逸脱しない範囲内で上述した実施形態を適宜変形して実施することが可能である。
【符号の説明】
【００６７】
１００  キーホルダー
１０  第１カバー
２０  第２カバー
３０  第３カバー
１１  第１辺部
１２  第２辺部
１３  第３辺部
ＨＲ  収容空間
２００  カード型キー
２１４  挿入端部
２１５  保持端部（一方の端部）
【図１】
0003204155.tif 000003
【図２】
0003204155.tif 000004
【図３】
0003204155.tif 000005
【図４】
0003204155.tif 000006
【図５】
0003204155.tif 000007
【図６】
0003204155.tif 000008
【図７】
0003204155.tif 000009
【図８】
0003204155.tif 000010
【図９】
0003204155.tif 000011
【図１０】
0003204155.tif 000012
【図１１】
0003204155.tif 000013
【図１２】
0003204155.tif 000014